(57)【要約】      （修正有）【課題】フットカバーの販売時における過剰包装を抑制するとともに購入後においても単なるゴミとならないで購入者が保管用途に用いることができる中台紙を提供する。【解決手段】中台紙１００は、１枚以上の伸縮性編地から形成され、爪先と踵を含む足底とを被覆するとともに足甲および足首を露出するフットカバーＦＣに好適な中台紙であって、薄い平板の形状を備える。平板は、足裏に対応する形状の足裏部１０２と、足裏部における踵に対応する踵部１０２Ｈから、踵部から離隔する方向へ延設された略逆Ｕ字形状で販売用係止棒３００に挿通されるフック部１０４とを備える。さらに、フック部と踵部との間には、フットカバーを被せた時にフック部をフットカバーの踵の生地から露出させるための溝１０６を備える。【選択図】図１
0003228826.tif 000002
【実用新案登録請求の範囲】
【請求項１】
１枚以上の伸縮性編地から形成され、爪先と踵を含む足底とを被覆するとともに足甲および足首を露出するフットカバーの販売および保管に好適な中台紙であって、
前記中台紙は、平板の形状を備え、
前記平板は、
足裏に対応する形状の足裏部と、
前記足裏部における踵に対応する踵部または爪先に対応する爪先部から、前記踵部または前記爪先部から離隔する方向へ延設された略逆Ｕ字形状で販売用係止棒に挿通されるフック部とを備え、
前記略逆Ｕ字形状のフック部と前記踵部または前記爪先部との間には、溝を備えることを特徴とする中台紙。
【考案の詳細な説明】
【技術分野】
【０００１】
本考案は、着用するとパンプス（履き口である甲部分が大きく開いている主として婦人用の靴）等の靴の内側に隠れて見えなくなる（見えにくくなる場合を含む）フットカバーに好適な販売用パッケージに関し、特に、１枚以上の伸縮性編地から形成されたフットカバーについて地球環境保護の観点から、販売時における過剰包装を抑制するとともに購入後においても単なるゴミ（廃棄物）とならないで購入者が保管用途（収納用途）に好適に用いることができるフットカバーの販売および保管（収納）に好適な中台紙に関する。なお、中台紙とは、足裏形状を備えた平板であってフットカバーを被せてフットカバーの中に入る台紙を意味する。また、本考案においては、保管と収納とを明確には区別しない。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発された様々なフットカバーが販売されている。このようなフットカバーの販売にあたっては包装資材が必要になり、たとえば実用新案登録公報第３２０３９７７号公報（特許文献１）は、このようなフットカバーに適用できる包装資材を開示する。この特許文献１に開示された包装資材は、物品を吊下げて陳列するための陳列ピンに吊下げ可能な、靴下の包装資材であって、足の側面形状を有する型板と、前記靴下を装着した前記型板が、係止具により係止される背板と、を含み、前記陳列ピンに吊下げられた状態において前記靴下の踵部と爪先部とが略水平方向に並ぶことを特徴とする。
【先行技術文献】
【特許文献】
【０００４】
【特許文献１】実用新案登録第３２０３９７７号公報
【考案の概要】
【考案が解決しようとする課題】
【０００５】
しかしながら、特許文献１に開示された包装資材は、少なくとも、フットカバーが装着される足形台紙と、その足形台紙が２本の係止ピンにより係止される背板と、背板に取り付けられた吊下げ具とを含み、過剰包装であることは否定できず、さらに、購入後は単なるゴミとして廃棄されてしまう。さらに、その廃棄時において、足形台紙と係止ピンと背板と吊下げ具とが全て同じ材質であるとは限らず（異なる場合が通常であると考えられる）分別して廃棄しなければならない。
【０００６】
本考案は、従来技術の上述の問題点に鑑みて開発されたものであり、その目的とするところは、１枚以上の伸縮性編地から形成されたフットカバーについて地球環境保護の観点から、販売時における過剰包装を抑制するとともに購入後においても単なるゴミ（廃棄物）とならないで購入者が保管用途（収納用途）に用いることができるフットカバーの販売および保管（収納）に好適な中台紙を提供することである。
【課題を解決するための手段】
【０００７】
上記目的を達成するため、本考案に係るフットカバーの販売および保管に好適な中台紙
は以下の技術的手段を講じている。
すなわち、本考案に係るフットカバーの販売および保管に好適な中台紙は、１枚以上の伸縮性編地から形成され、爪先と踵を含む足底とを被覆するとともに足甲および足首を露出するフットカバーの販売および保管に好適な中台紙であって、前記中台紙は、平板の形状を備え、前記平板は、足裏に対応する形状の足裏部と、前記足裏部における踵に対応する踵部または爪先に対応する爪先部から、前記踵部または前記爪先部から離隔する方向へ延設された略逆Ｕ字形状で販売用係止棒に挿通されるフック部とを備え、前記略逆Ｕ字形状のフック部と前記踵部または前記爪先部との間には、溝を備えることを特徴とする。
【考案の効果】
【０００８】
本考案に係るフットカバーの販売および保管（収納）に好適な中台紙によると、１枚以上の伸縮性編地から形成されたフットカバーについて地球環境保護の観点から、販売時における過剰包装を抑制するとともに購入後においても単なるゴミ（廃棄物）とならないで購入者が保管用途（収納用途）に用いることができる。
【図面の簡単な説明】
【０００９】
【図１】（Ａ）本考案の実施の形態に係るフットカバーの販売および保管に好適な中台紙１００を示す平面図であって、（Ｂ）中台紙１００にフットカバーＦＣを被せた状態を示す平面図であって、（Ｃ）（Ｂ）の状態に（本考案においては任意構成の）個装フィルム２００を被せた販売時の状態を示す平面図である。
【考案を実施するための形態】
【００１０】
以下、本考案の実施の形態に係るフットカバーＦＣの販売および保管に好適な中台紙１００（以下において単に中台紙１００と記載する場合がある）について、以下の図１に基づいて詳しく説明する。ここで、図１（Ａ）は中台紙１００を示す平面図であって、図１（Ｂ）はこの中台紙１００にフットカバーＦＣを被せた状態を示す平面図であって、図１（Ｃ）は図１（Ｂ）の状態にさらに個装フィルム２００を被せて販売する時の状態を示す平面図である。なお、個装フィルム２００は販売時の衛生上の観点から設けられるものであるが、本考案においては任意構成である。また、図１（Ｂ）に平面図として示す状態は、少なくとも１回着用して洗濯等したフットカバーＦＣをタンスの引き出し等に収納時を示すものである。
【００１１】
本実施の形態に係る中台紙１００は、１枚以上の伸縮性編地から形成され、爪先と踵を含む足底とを被覆するとともに足甲および足首を露出するフットカバーＦＣに好適な中台紙である。図１（Ａ）、図１（Ｂ）および図１（Ｃ）に示すように、この中台紙１００は、（薄い）平板（たとえば０．５〜２．０ｍｍ程度）の形状を備える。この平板の素材としては、限定されるものではないが、厚紙（普通紙であってもコーティング紙（普通紙よりも美感や平滑さを高めて光沢があり印刷のインクののりが良好な紙）であってもその他の紙であっても構わない）、または、プラスチック、プリプロピレンの合成樹脂等である。特徴的であるのは、後述する（本考案においては任意構成である）個装フィルム２００を除けば、フットカバーＦＣは単一の素材で構成されるパッケージにより販売される点である。
【００１２】
そして、図１（Ａ）に示すように、この平板は、足裏に対応する形状の足裏部１０２と、この足裏部１０２における踵に対応する踵部１０２Ｈから、踵部１０２Ｈから離隔する方向へ延設された略逆Ｕ字形状で販売用係止棒３００に挿通されるフック部１０４とを備える。さらに、略逆Ｕ字形状のフック部１０４と踵部１０２Ｈとの間には、溝１０６を備える。
【００１３】
ところで、図１（Ａ）に示す中台紙１００は、フットカバーＦＣの踵を上側にしてフック部１０４が販売用係止棒３００に掛けられるものであるが、上下を逆転させてフットカバーＦＣの爪先を上側にしてフック部１０４が販売用係止棒３００に掛けられるものであっても構わない。この場合には、上述した平板は、足裏に対応する形状の足裏部１０２と、この足裏部１０２における爪先に対応する爪先部１０２Ｔから、爪先部１０２Ｔから離隔する方向へ延設された略逆Ｕ字形状で販売用係止棒３００に挿通されるフック部１０４とを備える。さらに、略逆Ｕ字形状のフック部１０４と爪先部１０２Ｔとの間には、溝１
０６を備えることになる。なお、以下においては、フットカバーＦＣの踵を上側にしてフック部１０４が販売用係止棒３００に掛けられる場合について説明するが、上下を逆転させた場合は踵を爪先と読み替えれば説明が成立するために繰り返して説明しない。ここで、限定されるものではないが、販売用係止棒３００とは、陳列用ディスプレイ棚に水平に設けられた丸棒を意味し、この丸棒に販売用パッケージに収納された２以上のフットカバーＦＣが（販売用パッケージが備えるフック等により）吊り下げられて販売される。
【００１４】
図１（Ａ）に示すようにこのような形状を備えた中台紙１００に、図１（Ｂ）に示すようにフットカバーＦＣを被せて中台紙１００をフットカバーＦＣの中に入れる。このとき、図１（Ｂ）に示すように、フック部１０４がフットカバーＦＣの踵の生地よりも前側（図１における紙面手前側）に来るように、フットカバーＦＣの踵の生地を（フック部１０４の両側に設けられた２本の）溝１０６に通す。すなわち、フック部１０４の裏面がフットカバーＦＣの踵の生地に当接することになる。これにより、中台紙１００にフットカバーＦＣを被せても、フック部１０４がフットカバーＦＣの踵の生地から露出することになる。
【００１５】
そして、図１（Ｃ）に示すように、必要に応じて、フットカバーＦＣで覆われた中台紙１００に（中台紙１００が入ったフットカバーＦＣに）個装フィルム２００を被せる。この個装フィルム２００の素材は、一般的に用いられるポリエチレン製であったりポリプロピレン製であったりするが特に限定されるものではなく、本考案においては上述した通り任意構成である。この個装フィルム２００の形状は、両側辺が表裏方向で分離しておらず（表裏が繋がっていて）、下辺が表裏方向で分離していて（表裏が繋がっておらず開いていて）、上辺が表裏方向で分離していないが（表裏が繋がっているが）その一部がフック部１０４を個装フィルム２００の外へ（上方へ）剥き出せるように円弧状に切り欠かれた開口部２０２を備える。
【００１６】
このような形状の個装フィルム２００の下辺を表裏方向に開いて、図１（Ｂ）に示す状態のフットカバーＦＣで覆われた中台紙１００を（中台紙１００が入ったフットカバーＦＣを）下から上に引き上げるようして、個装フィルム２００の袋内部に入れて、個装フィルム２００の上辺の開口部２０２からフック部１０４を個装フィルム２００の外へ（上方へ）出して、図１（Ｃ）に示す状態になる。
【００１７】
このようにして、中台紙１００に被せられたフットカバーＦＣはさらに必要に応じて個装フィルム２００が被せられて、中台紙１００、フットカバーＦＣおよび（任意構成の）個装フィルム２００は、陳列用ディスプレイに取り付けた販売用係止棒３００がフック部１０４に挿通されて展示販売される。
このように略逆Ｕ字形状のフック部１０４であるので販売用係止棒３００の奥にあるフットカバーＦＣを取り出す場合であっても、取り出すことができる。
【００１８】
そして、このフットカバーＦＣを購入して、たとえば少なくとも１回着用して洗濯等したフットカバーＦＣをタンスの引き出し等に収納するときには、この中台紙１００にフットカバーＦＣを被せた状態（図１（Ｂ）に示す状態）で保管（収納）する。このような中台紙１００がない場合には、フットカバーＦＣを小さく丸く丸めてタンスの引き出しの中に収納しまうことが多いが、これでは重ねられて濃くなった色はわかっても生地１枚の色がわからないし、また、形状（深さ）等もわかりにくい。しかしながら、図１（Ｂ）に示すように、この中台紙１００にフットカバーＦＣを被せた状態でタンスの引き出しの中に収納しておくと、生地１枚の色、形状（深さ）等がわかりやすい。このように購入者が収納用として２次利用することが可能となり、この場合、フック部１０４が不要な場合に備えてフック部１０４を簡単に切断できるように、切断用の（一定のピッチで点線状に）直線で並ぶ多数の穴から構成されるカット線１０４Ｃ等を設けることも（販売中に足裏部１０２からフック部１０４がこのカット線１０４Ｃで切断されない強度を備えており中台紙１００が入った販売中のフットカバーＦＣが販売用係止棒３００から落下しないことが前提であるが）好ましい。また、図１（Ａ）に示すように、購入検討者の視覚に訴求するために中台紙１００にはこのフットカバーＦＣの訴求ポイントを表す文字等が印刷されている。収納時を考慮すると、中台紙１００の裏面はこのような文字等を印刷することなく、
かつ、鉛筆、水性ペンまたは油性ペン等で書き込みやすい素材で中台紙１００を構成しておくと、購入者がこの裏面にフットカバーＦＣを個別に識別しやすいメモを容易に書くことができて、この裏面を表側（図１の紙面裏側）にして収納することにより、多くのフットカバーＦＣを収納している場合に所望のフットカバーＦＣを探し出しやすい。
【００１９】
このようにして、（１）通常の中台紙は購入後においてゴミになるだけであることに対して、本実施の形態に係る（厚）紙製、プラスチック製、ポリプロピレン製等の中台紙は、購入者が保管用（収納用）として２次利用することが好適であって、（２）本実施の形態に係る中台紙を２次利用したフットカバーＦＣの保管時において、フットカバーＦＣを小さく丸く丸めてタンスの引き出しの中に収納しまう場合に比べてフットカバーＦＣの生地１枚の色、形状（深さ）等がわかりやすく、（３）一般的にフットカバーＦＣの多くが過剰包装で販売されており、かつ、上述したように購入後は２次利用されることなく単なるゴミになるのに対して、本実施の形態に係る中台紙は簡易包装かつ２次利用可能な点で地球環境保護の観点から非常に好ましく、パッケージコストを相当に抑えられる点で好ましい。
【００２０】
以上のようにして、本実施の形態に係るフットカバーの販売および保管（収納）に好適な中台紙によると、１枚以上の伸縮性編地から形成されたフットカバーについて地球環境保護の観点から、販売時における過剰包装を抑制するとともに購入後においても単なるゴミ（廃棄物）とならないで購入者が保管用途（収納用途）に用いることができる。
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２１】
本考案は、１枚以上の伸縮性編地から形成され、爪先と踵を含む足底とを被覆するとともに足甲および足首を露出するフットカバーの中台紙に好ましく、地球環境保護の観点から、販売時における過剰包装を抑制するとともに購入後においても単なるゴミ（廃棄物）とならないで購入者が保管用途（収納用途）に用いることができる点で特に好ましい。
【符号の説明】
【００２２】
１００  中台紙
１０２  足裏部
１０４  フック部
１０６  溝
２００  個装フィルム
３００  販売用係止棒
【図１】
0003228826.tif 000003